(57)【要約】【課題】不正行為を早期に発見する。【解決手段】操作盤２２には、筐体１１に収められたリールの回転を開始するためのスタートレバーと、リールの回転を停止させるためのストップボタンとが設けられている。筐体１１と操作盤２２とをケーブル４７で繋ぎ、操作盤２２を離間可能に設ける。筐体１１前面の取り付け面４０と操作盤２２の被取り付け面２２ａとのいずれか一方に電磁石４１，４２を、他方に磁性体材料をそれぞれ設ける。遊技時には、電磁石４１，４２に通電を行って操作盤２２を取り付け面４０に頑固に吸着し、また、不正行為が行われたときには電磁石４１，４２への通電を遮断して操作盤２２を離脱させる。離脱した操作盤２２は、ケーブル４７によりぶら下がった状態になる。【選択図】図３
2009011626.tif 000002
【特許請求の範囲】
【請求項１】
筐体に収められたリールの回転を開始するためのスタートレバーと、前記リールの回転を停止させるためのストップボタンとを操作盤に設けた遊技機において、
前記操作盤と前記筐体とのいずれか一方に設けられた磁性体と、
他方に設けられ前記磁性体を磁化することで前記操作盤を前記筐体の前面に吸着する電磁石と、
該遊技機に不正行為が行われたことを検出する検出手段と、
前記検出手段が不正行為を検出することに応答して前記電磁石の吸着を解除する解除手段と、を備えたことを特徴とする遊技機。
【請求項２】
前記電磁石の吸着力を可変する制御手段を設けたことを特徴とする請求項１記載の遊技機。
【発明の詳細な説明】
【技術分野】
【０００１】
本発明は、遊技場に設置して使用される遊技機に関し、詳しくは筐体に収められたリールの回転を開始するためのスタートレバーと、リールの回転を停止させるためのストップボタンとを操作盤に設けた遊技機に関するものである。
【背景技術】
【０００２】
近年、遊技機では、一定の価値を与えた遊技媒体（パチンコ球やメダル）を不正に獲得するための不正行為が増えている。不正行為としては、前面扉を開けて内部に設けた電源ボックスの電源を落とした後に、遊技プログラムを記憶した回路基板をすり換える行為や、前面扉を開けて抽選確率の設定変更を行うための設定用操作部を操作して設定値を変更する等の行為がある。
【０００３】
これらの不正行為に対処するために、遊技場では複数の監視カメラを設置して不正行為が行われているか否かの監視を行っている。また、回路基板を透明なケースに収納し、回路基板が容易にすり替えられることを防止している（特許文献１）。さらに、不正行為に対して個別に防止策を施すのはコストが高くつくため、前面扉の内側に中扉を設け、これら二重の扉を施すことで、筺体内部に設けた不正行為対象となる部品の略全てを遮蔽するようにした遊技機も知られている（特許文献２）。
【特許文献１】特開平１１−７６５６９号公報
【特許文献２】特開２００３−１１７０５５号公報
【発明の開示】
【発明が解決しようとする課題】
【０００４】
しかしながら、前述した防止策は、いずれも不正行為そのものを防止する策であり、不正行為が行われてしまった後は、そのことに気づかずそのまま遊技が行われてしまう欠点があった。
【０００５】
本発明は、上記問題点を考慮してなされたもので、不正行為を早期に発見して不正行為後の遊技が行えないように未然に防止するように工夫した遊技機を提供することを目的とする。
【課題を解決するための手段】
【０００６】
本発明の遊技機には、操作盤と筐体とのいずれか一方に設けられた磁性体と、他方に設けられ磁性体を磁化することで操作盤を筐体の前面に吸着する電磁石と、該遊技機に不正行為が行われたことを検出する検出手段と、検出手段が不正行為を検出することに応答して電磁石の吸着を解除する解除手段と、を備えたものである。
【０００７】
操作盤は、電磁石の磁気吸着により筐体の前面に保持されている。検出手段が不正行為を検出すると、解除手段が電磁石の磁気吸着を解除する。これにより、操作盤は、自身の重さにより筐体の前面から離脱する。解除手段としては、電磁石への通電を遮断することで磁気吸着を解除する。電磁石としては、頑固に吸着させるために複数用いてもよい。また、永久磁石と組み合わせたタイプのものを利用してもよい。後者の場合、吸着するときには永久磁石と電磁石との双方の磁束を利用する。また、この場合の解除手段としては、電磁石に流す電流の方向を逆にして、永久磁石の磁束を電磁石の磁束で打ち消すことで操作盤を離脱させればよい。
【０００８】
遊技機は、遊技時に動作するリールなどの各種機器や各種基板を収納する筐体と、その筐体に設けた前面扉とを備えている。筐体の内部には、遊技時の利益付与確率を変更するための設定変更用操作部を有する設定変更装置を備えている。不正行為には、前面扉を開いて設定変更操作部を操作して設定を変更する行為が多い。そこで、検出手段で前面扉の開放を検出することに応答して解除手段が電磁石の吸着を解除するのが望ましい。また、前面扉を上下に分割したタイプがある。この場合、不正行為を検出する検出手段として、少なくとも設定変更操作部を露呈する方の扉の開放を検出するのが望ましい。
【０００９】
操作盤の取り付け位置を調節可能にすることで、スタートレバーやストップボタンの操作性を向上することできる。そこで、電磁石の吸着力を可変する制御手段を設ける。この制御手段としては、例えば、電磁石に流れる電流を制御して磁性体に印加される磁場の強さを弱くする制御を行う。
【発明の効果】
【００１０】
本発明の遊技機では、不正行為を検出手段で検出すると、解除手段が操作盤を筐体の前面から離脱させるので、操作盤が筐体から外れて遊技場で目立つ状態になる。このため、不正行為を早期に発見することができる。
【発明を実施するための最良の形態】
【００１１】
遊技機の一例であるスロットマシン（回胴式遊技機）１０について説明する。スロットマシン１０は、図１及び図２に示すように、リールユニットや電気部品等を組み込んだ筺体１１を備えている。筺体１１は、前面扉１２と収納箱１３とからなる。前面扉１２は、上下に分割されており、上・下扉１４，１５は、ヒンジ１６，１７により個別に開閉される。なお、上・下扉１４，１５は個別に施錠されており、上扉１４は下扉１５を開けてからでないと開かないように構成されている。
【００１２】
上扉１４には、透明な表示窓１８が設けられている。表示窓１８からは、第１〜第３リール２１〜２３の一部を視認することができる。周知のように、第１〜第３リール２１〜２３の外周には、複数種類の当選絵柄を含む絵柄が一定ピッチで配列され、１リールにつき３個の絵柄は、表示窓１８を通して観察することができる。
【００１３】
下扉１５には、メダルを投入するためのメダル投入口２５、スタートレバー２６、リールの動作を停止させるための第１〜第３ストップボタン２７〜２９、メダル受け皿３０、及び、獲得したメダルをメダル受け皿３０に払い出すための払い出し口３１などが設けられている。このうちスタートレバー２６、及び、第１〜第３ストップボタン２７〜２９は、操作盤２２に設けられている。
【００１４】
メダル投入口２５に所定枚数のメダルを投入してスタートレバー２６を操作すると、第１〜第３リール２１〜２３が一斉に回転する。その後、第１〜第３ストップボタン２７〜２９を順番に操作することで第１〜第３リール２１〜２３の回転が停止する。このとき、リール毎に表示された絵柄を一個ずつ組み合わせてなる、例えば横３本斜め２本の合計５本の入賞有効ラインのうちのいずれかに、予め決められた絵柄が揃うことで、払い出し口３１からメダルが払い出される。
【００１５】
収納箱１３には、不正行為を検出するために、上・下扉開放スイッチ３２，３３がそれぞれ取り付けられている。上扉開放スイッチ３２は、上扉１４が僅かに開いたときに開放信号を出力する。下扉開放スイッチ３３も、下扉１５が僅かに開いただけでも開放信号を出力する。これら上・下扉開放スイッチ３２，３３が本発明の検出手段を構成する。
【００１６】
収納箱１３は、上下２段に仕切られた２つの上・下収容部３４，３５で構成されている。上収容部３４は上扉１４を開放することで内部が露呈され、また、下収容部３５は下扉１５を開放することで内部が露呈される。
【００１７】
上収容部３４には、第１〜第３リール２１〜２３を有するリールユニット３６が組み込まれており、そのリールユニット３６の奥に、主制御基板などを封印した封印ケース（図示なし）が着脱自在に取り付けられている。下収容部３５には、メダルを払い出し口３１に払い出すメダルホッパー２０などが組み込まれており、メダルホッパー２０の上には、電源ボックス１９が取り付けられている。電源ボックス１９には、電源基板が内蔵されており、その電源基板は、スロットマシン１０全体の電源供給を統括的に制御する。
【００１８】
電源ボックス１９には、設定キースイッチ２８、電源スイッチ４３、及び、変更ボタン４４などの設定操作部が前面に露呈して設けられている。設定変更の操作は、電源スイッチ４３をＯＦＦにした状態で設定キースイッチ２８と変更ボタン４４を操作して行う。設定キースイッチ２８は、専用の鍵を差し込んでその鍵をＯＦＦ位置からＯＮ位置に回転させて、この状態で電源スイッチ４３をＯＮにする。電源スイッチ４３をＯＮに操作することで、通常（遊技）モードから設定変更モードにモードが変更される。設定変更モードに移行すると、それまで遊技モード用の表示がなされていたＬＣＤ表示部２４（図１参照）に現時点の設定値が表示される。
【００１９】
変更ボタン４４は、設定値を変えるための操作部であり、ＬＣＤ表示部２４には操作に応答して変更後の設定値が表示される。設定値は、予め複数に決められており、複数の設定値は遊技者に利益を付与する複数の確率のそれぞれに予め対応付けされている。なお、設定値を変更した後には、スタートレバー２６を操作して設定変更を確定し、その後に、設定キースイッチ２８をＯＦＦ位置に回転して鍵を抜く。これにより、新たに設定した設定値が有効になる。
【００２０】
操作盤２２は、図３に示すように、下扉１５の前面のうちの予め決められている取り付け面４０に、磁気吸着により離脱自在に取り付けられている。この取り付け面４０の範囲は、取り付け位置を調節可能にするために、操作盤２２の背面（被取り付け面）２２ａの輪郭よりも広く設定されている。なお、取り付け面４０としては、下扉１５の前面に設ける代わりに、上扉１４の前面に設けてもよい。
【００２１】
操作盤２２の内部には、複数の電磁石４１，４２が設けられている。それら電磁石４１，４２は、磁着面が被取り付け面２２ａに露呈して設けられている。一方、相手側である取り付け面４０には、磁性体の材料が設けられている。勿論、取り付け面４０自体を磁性体の材料で作ってもよい。操作盤２２は、不正行為が行われたときに電磁石４１，４２への通電が断たれるため取り付け面４０から離脱し、また、それ以外のときには電磁石４１，４２への通電が行われているので取り付け面４０に頑固に吸着される。なお、電磁石の個数は一つでもよい。また、下扉１５の前面に電磁石を、操作盤２２の背面に磁性体の材料をそれぞれ設けた構成にしてもよい。
【００２２】
取り付け面４０には、開口４６が設けられている。この開口４６には、筐体１１と操作盤２２との間で電気的接続をするためケーブル４７が出入りする。また、開口４６の奥には、自動巻き取り式のコードリール（図示なし）が設けられている。コードリールは、操作盤２２が離脱したときにケーブル４７の引き出しを許容し、また、操作盤２２が取り付けられたときにはケーブル４７を巻き取る。
【００２３】
また、下扉１５の前面には、切替スイッチ４５が露呈して設けられている。切替スイッチ４５は、操作盤２２を固定する固定モードを選択する固定位置と、操作盤２２の取り付け位置を調節する調節モードを選択する調節位置とのいずれか一方に切替える操作部材である。固定位置を選択すると、電磁石４１，４２に所定電流（定格通電電流）を流して操作盤２２を頑固に固定する。また、調節位置を選択すると、前記所定電流よりも少ない電流を流して電磁石４１，４２の強さを弱くする。
【００２４】
スロットマシン１０には、図４に示すように、大別して２つの基盤がある。一方は、上収容部３４に設けた主制御基板５５、他方が電源基板５６である。スロットマシン１０の作動は、基本的に主制御基板５５によって管制される。電源基板５６は、電源ボックス１９に内蔵されており、電源スイッチ４３，変更ボタン４４，ＬＣＤ表示部２４がそれぞれ接続されている。電源基板５６は、主制御基板５５との間で電気的接続がなされている。
【００２５】
主制御基板５５には、ＣＰＵ４９、ＲＯＭ５７、電子抽選部５８、当選役決定部５９が設けられている。ＲＯＭ５７は、ＣＰＵ４９に接続されており、ＣＰＵ４９で実行する、例えば不正行為の検出に応答して電磁石４１，４２への通電を遮断するプログラム、電磁石４１，４２への通電を復帰するプログラム、遊技実行プログラム等の制御プログラムや、これらプログラムを実行する際に必要な制御データ等が記憶されている。
【００２６】
電子抽選部５８は、乱数発生器を備え、乱数発生器で発生した乱数から１つの乱数を抽出する。抽出した乱数は、当選役決定部５９に送られ、当選役決定部５９は、ハズレ及び複数種類の当選役のいずれかになるかを、抽出した乱数に基づいてＲＯＭ５７に記憶した当選テーブルを参照して決定し、当選役信号をＣＰＵ４９に送る。
【００２７】
ＣＰＵ４９は、上扉開放スイッチ３２、下扉開放スイッチ３３、電磁石用のドライバ６１、切替スイッチ４５、及び、復帰用スイッチ６０との間で電気的接続が個別になされている。このＣＰＵ４９は、上・下扉開放スイッチ３２，３３のいずれかから開放信号を受け取ることに応答して遮断信号をドライバ６１に送る。ドライバ６１は、遮断信号を受け取ることで、電磁石４１，４２への通電を遮断する。
【００２８】
復帰用スイッチ６０は、上収容部３４の奥に設けられており（図２参照）、操作盤２２を再び取り付けるときに操作する。ＣＰＵ４９は、復帰用スイッチ６０から復帰信号が得られることに応答してドライバ６１を介して電磁石４１，４２への通電を開始する。
【００２９】
切替スイッチ４５は、選択操作位置に応じて固定モード信号と調節モード信号とのいずれかをＣＰＵ４９に送る。ＣＰＵ４９は、いずれかのモード信号に応じて電磁石４１，４２に流す電流の強さを変える指示信号をドライバ６１に出力する。これら切替スイッチ４５、ドライバ６１、及びＣＰＵ４９等が本発明の制御手段を構成する。
【００３０】
また、ＣＰＵ４９は、３個のストップボタン２７〜２９、スタートレバー２６、通過検知センサ６３、変更ボタン４４、スピーカー６４、リール駆動コントローラ６６、ＬＣＤ表示部２４、及び、メダルホッパー２０などとの間で電気的接続が個別になされており、３個のストップボタン２７〜２９、スタートレバー２６、通過検知センサ６３、変更ボタン４４からそれぞれ個別に入力される信号に基づいて、スピーカー６４、リール駆動コントローラ６６、メダルホッパー２０、及び、ＬＣＤ表示部２４をそれぞれ駆動制御する。
【００３１】
通過検知センサ６３は、メダル投入口２５から投入されたメダルを検知し、メダル検知信号をＣＰＵ４９に送る。ＣＰＵ４９は、メダル検知信号に基づいて計数し、入賞有効ラインを有効化する本数を決定する。
【００３２】
スタートレバー２６は、メダルが投入された後に、遊技スタート信号をＣＰＵ４９に入力する。ＣＰＵ４９は、遊技スタート信号を受けて、電子抽選部５８で乱数をサンプリングさせ、当選役決定部５９で当選役を決定させるとともに、ＲＯＭ５７に記憶された遊技を実行させるためのプログラムに基づいてリール駆動コントローラ６６を制御し、リールユニット３６の第１〜第３リール２１〜２３を個別に回転させる。
【００３３】
３個のストップボタン２７〜２９は、各リール２１〜２３の回転を停止させるためのボタンであり、操作されることでＣＰＵ４９に停止信号をそれぞれ送る。ＣＰＵ４９は、第１〜第３リール２１〜２３が回転中のみ停止信号を受け付け、停止信号を受けることに応答して、当選役に対応する絵柄となるように、第１〜第３リール２１〜２３の停止を個別に制御をする。その後に、ＣＰＵ４９は、当選役の種類に応じてメダルの払い出しの有無を決定し、払い出しが必要か否か、及びそのときの払出枚数を、ＲＯＭ５８に記憶したテーブルを参照して決定し、払い出しが必要な場合には決定した枚数に応じた払出信号をメダルホッパー２０に送る。メダルホッパー２０は、払出信号に応じて規定枚数の配当メダルをメダル受け皿３０に払い出す。
【００３４】
次に、上記構成の作用を簡単に説明する。遊技中を含めて通常は、上・下扉１４，１５が閉じており、また、切替スイッチ４５は固定位置になっている。このため、通常は、上・下扉開放スイッチ３２，３３は閉じ信号を、また、切替スイッチ４５は固定モード信号をそれぞれ出力している。ＣＰＵ４９は、固定モード信号を受けている間、所定電流で電磁石４１，４２を通電するようにドライバ６１を制御する。これにより、操作盤２２を取り付け面４０に頑固に固定する状態が保たれる。
【００３５】
不正行為によって上又は下扉１４，１５が開かれると、上又は下扉開放スイッチ３２，３３からＣＰＵ４９に開放信号を出力する。ＣＰＵ４９は、上又は下扉開放スイッチ３２，３３のいずれかから開放信号を受け取ることに応答して遮断信号をドライバ６１に送る。ドライバ６１は、遮断信号を受け取ることに応答して電磁石４１，４２への通電を遮断する。
【００３６】
電磁石４１，４２への通電が断たれると、操作盤２２が自身の自重により取り付け面４０から下方に向けて離脱する。このとき、ケーブル４７が所定長さだけ引き出される。操作盤２２は、その位置でぶら下がった状態になる。このような状態は遊技場で目立つことになる。これにより、不正行為を早期に発見することができる。
【００３７】
操作盤２２を再び取り付けるときには、上扉１４を開いて、上収容部３４の奥に設けた復帰用スイッチ６０を操作する。これにより、ＣＰＵ４９に復帰信号が送られ、ＣＰＵ４９は、再び所定電流を電磁石４１，４２に流すようにドライバ６１を制御する。その後、操作盤２２を取り付け面４０に取り付ければ、頑固に固定される。このとき、ケーブル４７がコードリールに自動的に巻き取られるので、邪魔になることはない。
【００３８】
なお、長期的に使用すると、検査や修理などで下扉１５を開放する。このときも、操作盤２２が離脱してしまうが、前述したと同様の操作を行うことで再び操作盤２２を取り付けることができる。また、ＣＰＵ５６は、復帰信号を得てから上・下扉１４，１５が閉められるまでの一定時間を経過するまで、上・下扉開放スイッチ３２，３３の監視を行わないようになっている。また、復帰用スイッチ６０のようなスイッチでは、簡単に解除されてしまうおそれがある。この場合には、施錠式スイッチや指紋認識機構を用いた解除操作、あるいはホールコンピュータと接続されている場合にはホールコーピュータでの操作によって解除信号を発生し、その信号を受け取ることで解除するような復帰手段を設けるのが望ましい。
【００３９】
操作盤２２の取り付け位置を調節する場合には、固定位置から調節位置に切替スイッチ４５を切り替える。調節位置を選択すると、調節モード信号がＣＰＵ４９に出力される。ＣＰＵ４９は、調節モード信号を受け取ることで、所定電流よりも小さな電流を電磁石４１，４２に流すようにドライバ６１を制御する。これにより、電磁石４１，４２に発生する磁場が弱くなるため、操作盤２２を取り付け面４０のうちのいずれかに手動で動かして取り付け位置を調節することができる。取り付け位置が決まれば、固定位置に切替スイッチ４５を戻す。この操作を行うことで、操作盤２２が頑固に固定されるので、スタートレバー２６やストップボタン２７〜２９の操作に支障をきたすことはない。
【００４０】
上記実施形態では、検出手段が不正行為を検出したときに操作盤２２を離脱させるだけであるが、このとき同時に無効手段でスタートレバー２６やストップボタン２７〜２９から出力される信号の受け付けを無効にしてもよい。これによれば、遊技自体もできなくなるので不正行為を確実に見つけることができる。復帰するときには、復帰用スイッチ６０を操作することに応答して前記受け付けを有効にすればよい。
【００４１】
上記各実施形態では、設定変更操作部を露呈する方の下扉１５の開放を不正行為と見なして検出しているが、本発明ではこれらに限らず、上扉１４の奥に設定変更操作部を設けている場合には、上扉１４の開放を検出するように構成してもよい。また、上・下扉１４，１５の開放を監視する以外に、例えば主制御基板５５などの基板の取り外しを不正行為として監視してもよい。この場合、基板に接続されるケーブルが抜かれるため、そのケーブルとの間に断線センサを設け、断線センサとＣＰＵとを接続して不正行為を検出するように構成すればよい。
【００４２】
また、ホール（遊技場）管理者は、営業時間内に扉１４，１５を開けることはあるが、設定変更の操作を行うことはない。そこで、検出手段としては、タイマ（カレンダ）回路と、設定変更の操作を行ったことを検出する不正行為検出手段とを設け、タイマ回路で営業時間内であることを検出し、その時間内にのみ不正行為検出手段で不正行為として検出するように構成してもよい。
【００４３】
また、上記各実施形態では、前面扉を上・下扉１４，１５の２枚で構成しているが、本発明ではこれに限らず、上・中・下との３枚の扉で構成してもよいし、３枚以上の扉で構成してもよい。勿論１枚の扉で構成してもよい。この場合も設定変更操作部を露呈する方の扉の開放を検出するように構成すればよい。
【００４４】
上記実施形態の操作盤２２としては、スタートレバー２６やストップボタン２７〜２９しか設けられていないが、周知のＭＡＸベッドボタンや精算ボタン等のうちのいずれか１つ又は複数加えたものでもよい。
【００４５】
上記実施形態では、制御手段としてドライバ６１が電磁石４１，４２に流す電流を変える構成にしているが、代わりに、非磁性体を電磁石４１，４２と磁性体材料との間に挿入するか、又は電磁石４１，４２を取り付け面４０から遠ざけるなどを行う機構を設けて、磁場の強さを弱める構成にしてもよい。
【００４６】
また、本発明は、上述した実施形態に記載した構成のみに限定されるものではなく、本発明の要旨を逸脱しない範囲内において種々変更を加え得ることは勿論である。
【産業上の利用可能性】
【００４７】
本発明の遊技機は、スロットマシンにのみ限定して採用されるものではなく、少なくともストップボタンとスタートボタンを備える遊技機であれば、いずれにも採用することができる。
【図面の簡単な説明】
【００４８】
【図１】本発明を採用したスロットマシンの外観を示す斜視図である。
【図２】スロットマシンの前面にある上・下扉を開いた状態を示す斜視図である。
【図３】スロットマシンの前面に設けた操作盤が離脱した状態を示す斜視図である。
【図４】スロットマシンの電気的構成の概略を示すブロック図である。
【符号の説明】
【００４９】
１０  スロットマシン
１１  筐体
２２  操作盤
２２ａ  被取り付け面
４７  ケーブル
４０  取り付け面
【図１】
2009011626.tif 000003
【図２】
2009011626.tif 000004
【図３】
2009011626.tif 000005
【図４】
2009011626.tif 000006